(57)【要約】  チューブピンチタイプのソレノイド弁を装着するための組立体。組立体は、装着パネル（１２）と、後部パネル（１４）と、装着パネルを後部パネルに連結するための少なくとも１本のロッド（２６）とを備える。装着パネル（１２）は、チューブピンチタイプのソレノイド弁を受け入れるための少なくとも１つの開口を有する。後部パネル（１４）は、少なくとも１つの開口と位置合わせされた少なくとも１つの電源ジャック（２０）を有する。組立体は、チューブピンチタイプのソレノイド弁を装着パネル（１２）の前部から挿入し取り外すことを可能にする。後部パネル（１４）は、ソレノイド弁ごとに一体型ソレノイドドライバモジュールを所与の組立内に組み込む。各々の一体型ソレノイドドライブモジュールは、複数の弁を収容することができる。この構成は、装着パネルと後部パネルとの間に空気の効率的な冷却流のための十分な量の空きスペースをもたらす。妨げられない空気の流れは、チューブピンチタイプのソレノイド弁によって発生した熱を分散させるために望ましい。また、コアチューブと、コアと、コアばねと、ソレノイド筺体と、スライドシャフトと、電気コネクタと、少なくとも１つの可撓性の装着耳を有するスナップ式装着体と、弁プランジャとを備えるチューブピンチタイプのソレノイド弁も開示される。
2013527383.tif 000002
【特許請求の範囲】
【請求項１】
少なくとも１つのチューブピンチタイプのソレノイド弁を装着するための組立体であって、少なくとも１つの電源ジャックを有する後部パネルに連結された、少なくとも１つの開口を有する装着パネルを備え、前記少なくとも１つの開口が、前記チューブピンチタイプのソレノイド弁の適切な向きを確実にするために少なくとも１つのキー止めスロットを有する、組立体。
【請求項２】
前記少なくとも１つの開口が、複数のキー止めスロットを有する、請求項１に記載の組立体。
【請求項３】
前記装着パネルが、複数の開口を有する、請求項１に記載の組立体。
【請求項４】
前記装着パネルが、少なくとも１つの連結ロッドによって前記後部パネルに連結される、請求項１に記載の組立体。
【請求項５】
前記装着パネルが、複数の連結ロッドによって前記後部パネルに連結される、請求項４に記載の組立体。
【請求項６】
少なくとも１つのチューブピンチタイプのソレノイド弁をさらに含む、請求項１に記載の組立体。
【請求項７】
複数のチューブピンチタイプのソレノイド弁をさらに含む、請求項１に記載の組立体。
【請求項８】
コアチューブと、コアと、コアばねと、ソレノイド筺体と、スライドシャフトと、電気コネクタと、少なくとも１つの可撓性の装着耳を有するスナップ式装着体と、弁プランジャとを備える、ノーマルオープンのチューブピンチタイプのソレノイド弁。
【請求項９】
前記スナップ式装着体が、複数の可撓性の装着耳を有する、請求項８に記載のノーマルオープンのチューブピンチタイプのソレノイド弁。
【請求項１０】
前記少なくとも１つのスナップ式の装着体が、チュービングを収容するためのくぼみを含み、前記少なくとも１つの可撓性の装着耳が、装着パネルの主要表面を把持するための突出部を有する、請求項８に記載のチューブピンチタイプのソレノイド弁。
【請求項１１】
コアチューブと、コアと、コアばねと、ソレノイド筺体と、スライドシャフトと、電気コネクタと、少なくとも１つの可撓性の装着耳を有するスナップ式装着体と、弁プランジャとを備える、ノーマルクローズのチューブピンチタイプのソレノイド弁。
【請求項１２】
前記スナップ式装着体が、複数の可撓性の装着耳を有する、請求項１１に記載のノーマルオープンのチューブピンチタイプのソレノイド弁。
【請求項１３】
前記少なくとも１つのスナップ式装着体が、チュービングを収容するためのくぼみを含み、前記少なくとも１つの可撓性の装着耳が、装着パネルの主要表面を把持するための突出部を有する、請求項１１に記載のチューブピンチタイプのソレノイド弁。
【請求項１４】
医療分析器であって、少なくとも１つのチューブピンチタイプのソレノイド弁用の組立体内に装着された、少なくとも１つのチューブピンチタイプのソレノイド弁を備え、前記組立体が、少なくとも１つの電源ジャックを有する後部パネルに連結された、少なくとも１つの開口を有する装着パネルを備え、前記少なくとも１つの開口が、前記少なくとも１つのチューブピンチタイプのソレノイド弁の適正な向きを確実にするために少なくとも１つのキー止めスロットを有する、医療分析器。
【請求項１５】
前記少なくとも１つの開口が、複数のキー止めスロットを有する、請求項１４に記載の医療分析器。
【請求項１６】
前記装着パネルが、複数の開口を有する、請求項１４に記載の医療分析器。
【請求項１７】
前記少なくとも１つのチューブピンチタイプのソレノイド弁を作動させるための制御装置をさらに含む、請求項１４に記載の医療分析器。
【請求項１８】
前記少なくとも１つのチューブピンチタイプのソレノイド弁のための電源をさらに含む、請求項１４に記載の医療装置。
【発明の詳細な説明】
【技術分野】
【０００１】
本発明は、ソレノイド弁の装着に関し、より詳細にはチューブピンチタイプのソレノイド弁の装着に関する。
【背景技術】
【０００２】
ソレノイド弁は、２つの機能ユニットの組合せである。すなわち、（１）コイル、コア、およびばねから本質的になるソレノイドオペレータ、（２）ディスク、ダイアフラム、またはピストンなどが、使用される技術のタイプにしたがって中に配置されるオリフィスを含む弁体の組合せである。弁は、磁心の移動によって開閉され、磁心は、コイルが励磁されたときに電磁コイル内に引き込まれる。チューブピンチタイプのソレノイド弁は、全開の流れ、および延長された耐用年数をもたらす。これらの特徴は、特に均衡のとれた負荷で円滑に作動するように設計された、ピンチ装置を用いることによって達成される。汚染は生じ得ず、弁の作動は静かである。流体の流れは、双方向である。たとえば、参照により本明細書に組み込まれる、ウェブサイトｗｗｗ．ａｓｃｏｊｏｕｃｏｍａｔｉｃ．ｃｏｍ／ｉｍａｇｅｓ／ｓｉｔｅ／ｕｐｌｏａｄ／＿ｅｎ／ｐｄｆ１／０１０２７ｇｂ．ｐｄｆで入手可能なＳＯＬＥＮＯＩＤ  ＶＡＬＶＥ  ＴＥＣＨＮＯＬＯＧＹ  ＡＮＤ  ＴＥＣＨＮＩＣＡＬ  ＣＨＡＲＡＣＴＥＲＩＳＴＩＣＳ，Ｆｕｎｃｔｉｏｎ，ｔｅｒｍｉｎｏｌｏｇｙ  ａｎｄ  ｃｏｎｓｔｒｕｃｔｉｏｎ  ｔｙｐｅｓ，ＡＳＣＯ  Ｊｏｕｃｏｍａｔｉｃ，Ｘ００６−０７７−０５−１を参照されたい。
【０００３】
たとえば、以下のものだけに限定されないが、臨床化学分析器、免疫測定分析器、血液分析器、たとえばＣＥＬＬ−ＤＹＮ（Ｒ）血液分析器を含む臨床分析器などの多くのタイプの医療分析器は、チューブピンチタイプのソレノイド弁を使用する。通常、チューブピンチタイプのソレノイド弁は、装着ナットを用いてパネル内の開口部に弁を挿入することによって垂直パネル内に装着される。弁を装着するためのそのような手段は、弁を取り外し、交換するためにパネルを広範囲にわたって分解することを必要とする。各々の弁は、ソレノイドドライブモジュール、すなわちソレノイド弁を駆動させるための電子構成要素を有する回路基板にルーティングされなければならない２本の長いワイヤを含む。ソレノイドドライブモジュールは、医療分析器内の遠隔の場所に装着される頻度が高いため、これらのワイヤは、点検のためにたどることは難しく、さらに、これらのワイヤはまた、これらが中に置かれる医療分析器の内部において空気の流れを遮る。
【先行技術文献】
【非特許文献】
【０００４】
【非特許文献１】ＳＯＬＥＮＯＩＤ  ＶＡＬＶＥ  ＴＥＣＨＮＯＬＯＧＹ  ＡＮＤ  ＴＥＣＨＮＩＣＡＬ  ＣＨＡＲＡＣＴＥＲＩＳＴＩＣＳ，Ｆｕｎｃｔｉｏｎ，ｔｅｒｍｉｎｏｌｏｇｙ  ａｎｄ  ｃｏｎｓｔｒｕｃｔｉｏｎ  ｔｙｐｅｓ，ＡＳＣＯ  Ｊｏｕｃｏｍａｔｉｃ，Ｘ００６−０７７−０５−１、ｗｗｗ．ａｓｃｏｊｏｕｃｏｍａｔｉｃ．ｃｏｍ／ｉｍａｇｅｓ／ｓｉｔｅ／ｕｐｌｏａｄ／＿ｅｎ／ｐｄｆ１／０１０２７ｇｂ．ｐｄｆ
【非特許文献２】ＤＣ  Ｐｏｗｅｒ  Ｐｌｕｇｓ＆Ｉｎ−Ｌｉｎｅ  Ｒｅｃｅｐｔａｃｌｅｓ  ＣＵＩ  Ｉｎｃ．、ｈｔｔｐ：／／ｗｗｗ．ｃｕｉ．ｃｏｍ／ｓｈｏｗｐｒｏｄｓ．ａｓｐｘ／ｃｉｄ＝１２３９＆ｌｅｖｅｌ＝３
【非特許文献３】２．５ｍｍ  Ｃｅｎｔｅｒ  Ｐｉｎ  ＣＵＩ  Ｉｎｃ．、ｈｔｔｐ：／／ｗｗｗ．ｃｕｉ．ｃｏｍ／ｓｈｏｗｐｒｏｄｓ．ａｓｐｘ／ｃｉｄ＝１２５９＆ｌｅｖｅｌ＝３
【非特許文献４】ＤＣ  ｃｏｎｎｅｃｔｏｒ−Ｗｉｋｉｐｅｄｉａ，ｔｈｅ  ｆｒｅｅ  ｅｎｃｙｃｌｏｐｅｄｉａ、ｈｔｔｐ：／／ｅｎ．ｗｉｋｉｐｅｄｉａ．ｏｒｇ／ｗｉｋｉ／ＤＣ＿ｃｏｎｎｅｃｔｏｒ
【非特許文献５】Ｊｏｈｎ  Ｗｉｌｅｙ＆Ｓｏｎｓ，Ｉｎｃ．，１９８７年，Ｅｎｃｙｃｌｏｐｅｄｉａ  ｏｆ  Ｐｏｌｙｍｅｒ  Ｓｃｉｅｎｃｅ  ａｎｄ  Ｔｅｃｈｎｏｌｏｇｙ，Ｖｏｌ．８の１０２〜１３８頁
【発明の概要】
【発明が解決しようとする課題】
【０００５】
チューブピンチタイプのソレノイド弁が、工具無しで容易に設置され臨床分析器から取り外され得る、チューブピンチタイプのソレノイド弁のための構成を提供することが望ましい。また、チューブピンチタイプのソレノイド弁のための電子的および機械的接続が、同時に容易に為され得る、チューブピンチタイプのソレノイド弁のための構成を提供することも望ましい。また、別個のワイヤ、コネクタ、ねじ、ナット、および同様のものが、必要とされない、チューブピンチタイプのソレノイド弁のための構成を提供することも望ましい。
【課題を解決するための手段】
【０００６】
１つの態様では、本発明は、チューブピンチタイプのソレノイド弁を装着するための組立体を提供する。組立体は、装着パネルと、後部パネルと、装着パネルを後部パネルに連結するための少なくとも１本のロッドとを備える。装着パネルは、チューブピンチタイプのソレノイド弁を受け入れるための少なくとも１つの開口を有する。少なくとも１つの開口は、チューブピンチタイプのソレノイド弁の適正な向きを確実にするための少なくとも１つのキー止めスロットを有する。後部パネルは、少なくとも１つの開口と位置合わせした少なくとも１つの電源ジャックを有する。組立体は、チューブピンチタイプのソレノイド弁を装着パネルの前部から挿入し取り外すことを可能にする。２本の長いワイヤは、チューブピンチタイプのソレノイド弁と組立体の後部パネルとの直接的な電気接続によって取り除かれる。さらに、後部パネルは、ソレノイド弁ごとに一体型ソレノイドドライバモジュールを所与の組立体内に組み込む。各々の一体型ソレノイドドライブモジュールは、たとえば８０ものソレノイド弁など複数の弁を収容することができる。一体型ソレノイドドライバモジュールごとに必要とされるケーブルは、後部パネルから電源供給ユニットまでの単一の電力／接地ケーブルおよび後部パネルからコンピュータ制御装置または回路基板までの制御ケーブルだけである。この構成は、装着パネルと後部パネルとの間に空気の効率的な冷却流のための十分な量の空きスペースをもたらす。妨げられない空気の流れは、チューブピンチタイプのソレノイド弁によって発生した熱を分散させるために望ましい。
【０００７】
別の態様では、本発明は、コアチューブと、コアと、コアばねと、ソレノイド筺体と、スライドシャフトと、電気コネクタと、少なくとも１つの可撓性の装着耳を有するスナップ式装着体と、弁プランジャとを備える、ノーマルオープンのチューブピンチタイプのソレノイド弁を提供する。スナップ式装着体は、チュービングを収容するためのくぼみを含み、少なくとも１つの可撓性の装着耳は、装着パネルの主要表面を把持するための突出部を有する。本発明はまた、コアチューブと、コアと、コアばねと、ソレノイド筺体と、スライドシャフトと、電気コネクタと、少なくとも１つの可撓性の装着耳を有するスナップ式装着体と、弁プランジャとを備えるノーマルクローズのチューブピンチタイプのソレノイド弁も提供する。スナップ式装着体は、チュービングを収容するためのくぼみを含み、少なくとも１つの可撓性の装着耳は、装着パネルの主要表面を把持するための突出部を有する。
【０００８】
別の態様では、本発明は、チューブピンチタイプのソレノイド弁を装着するための上述の組立体の少なくとも１つを備える医療分析器を提供する。
【図面の簡単な説明】
【０００９】
【図１】ピンチ弁組立体ホルダ内に配置された１組のスナップ式チューブピンチタイプのソレノイド弁の斜視図である。この図では、装着パネルの前の位置から弁組立体を見ている。
【図２】後部パネルが外された、ピンチ弁組立体ホルダ内に配置された１組のスナップ式チューブタイプのソレノイド弁の斜視図である。この図では、後部パネルの前の位置から弁組立体を見ている。
【図３】チューブピンチタイプのソレノイド弁組立体ホルダの装着パネルの正面図である。
【図４】ピンチ弁組立体ホルダ内に配置された１組のスナップ式チューブピンチタイプのソレノイド弁組立体の上部平面図である。
【図５】チューブピンチタイプのソレノイド弁組立体ホルダの側面図である。
【図６】図３の線６−６に沿って切り取られたチューブピンチタイプのソレノイド弁組立体の断面図である。
【図７】ノーマルオープンのチューブピンチタイプのソレノイド弁組立体の分解斜視図である。この図では、装着パネルの前の位置からチューブピンチタイプのソレノイド弁組立体を見ている。
【図８】図７のチューブピンチタイプのソレノイド弁組立体の分解斜視図である。この図では、後部パネルの前の位置からチューブピンチタイプのソレノイド弁組立体を見ている。
【図９】図３の線６−６に沿って切り取られた図７のチューブピンチタイプのソレノイド弁組立体の断面図である。
【図１０】ノーマルクローズのチューブピンチタイプのソレノイド弁組立体の分解斜視図である。この図では、装着パネルの前の位置からチューブピンチタイプのソレノイド弁組立体を見ている。
【図１１】図１０のチューブピンチタイプのソレノイド弁組立体の分解斜視図である。この図では、後部パネルの前の位置からチューブピンチタイプのソレノイド弁組立体を見ている。
【図１２】図３の線６−６に沿って切り取られた図１０のチューブピンチタイプのソレノイド弁組立体の断面図である。
【図１３】本明細書で説明された組立体内で使用するのに適したスナップ式装着体の上部平面図である。
【図１４】図１３のスナップ式装着体の側面図である。
【図１５】図１３の線１５−１５に沿って切り取られた図１３および図１４のスナップ式装着体の断面図である。
【図１６】図１３のスナップ式装着体の斜視図である。この図では、弁座またはアンビルの詳細が見られ得るようにスナップ嵌合式装着体の一部分が切断されている。
【図１７】電源供給ユニットと、チューブピンチタイプのソレノイド弁を装着するための複数の組立体と、ソレノイド弁の作動およびタイミングを決定するためにさまざまなソレノイドドライバモジュールと通信するためのコンピュータとの間の接続を示す概略図である。
【発明を実施するための形態】
【００１０】
本明細書では、「チューブピンチタイプのソレノイド弁」という表現は、全開流をもたらす（すなわち、アイドルボリュームがない）ように設計されたピンチ装置を有するソレノイド弁を意味する。本明細書では、「弁体」という用語は、ピンチ装置を含む弁の部分を意味する。本明細書では、「コイル」という用語は、励磁されたときに磁束を生み出すように絶縁銅線で巻かれたスプールからなる弁の電気部分を意味する。本明細書では、「コア」という用語は、磁気力によって移動可能である可動式の強磁性ロッドを意味する。本明細書では、「コアばね」という表現は、コイルが無励磁にされたときにコアを固定位置に保つばねを意味する。本明細書では、「ソレノイド筺体」という表現は、電気的および機械的保護と共に水または埃の進入に対する保護のためのコイル周りの金属ハウジングを意味する。本明細書では、「弁プランジャ」という表現は、可撓性チュービングを開き、閉じ、そして調節するために、ピストンのものに類似する往復式スラスト動作で作動する構成要素を意味する。本明細書では、「ソレノイドプランジャ」という用語は、弁プランジャを移動させるために、ピストンのものに類似する往復式スラスト動作で作動する構成要素を意味する。本明細書では、「後部キャップ」という表現は、電気コネクタを保持および支持するチューブピンチタイプのソレノイド弁の構成要素を意味する。本明細書では、「電気コネクタ」という表現は、電源ジャックと対合するチューブピンチタイプのソレノイド弁の構成要素を意味する。本明細書で使用するのに適した電気コネクタの例は、プラグコネクタである。
【００１１】
本明細書では、「ソレノイドドライバモジュール」という表現は、信号電圧に応答してソレノイド弁を作動させるために適切な電圧を与える回路基板を意味する。本明細書では、「一体型ソレノイドドライバモジュール」という表現は、ソレノイド弁を駆動する電気回路が、電気コネクタ、すなわち電源ジャックを含むパネルに一体化されるソレノイドドライバモジュールを意味する。一般的な非一体型のソレノイドドライブモジュールは、ソレノイドドライブモジュールが位置する遠隔場所に連結されたコネクタを有する長いケーブルを利用する。一体型ソレノイドドライバモジュールは、ソレノイドドライブモジュールの長いケーブルおよび遠隔の場所を取り除く。本明細書では、「ドライバ回路」という表現は、ソレノイドドライバモジュールまたは一体型ソレノイドドライバモジュールの回路を意味する。ドライバ回路は、コンピュータから制御信号を取得し、その信号を電圧に変換してソレノイド弁を作動させる電子構成要素を含む回路のグル―プである。コンピュータは、信号をドライバ回路に与えて、計測器の必要性に基づいて多数の弁を同時に制御する。本明細書では、「電源供給ユニット」という表現は、電気エネルギーまたは他のタイプのエネルギーを出力負荷または負荷の群に供給する装置またはシステムを意味する。
【００１２】
本明細書では、「医療分析器」という表現は、以下のものだけに限定されないが、臨床化学分析器、免疫測定分析器、および血液分析器を含む臨床分析器を意味する。
【００１３】
図では、可能な限り、同じ部分は、同じ参照符号を有する。図１、図２、図３、図４、図５、および図６は、図示された２つ以上の同一の部分の１つだけが、参照符号によって示されている。次に図１、図２、図３、図４、図５、および図６を参照すると、チューブピンチタイプのソレノイド弁を装着するための組立体１０は、装着パネル１２と、後部パネル１４と、装着パネル１２内の開口１８内に挿入され、後部パネル１４内の電源ジャック２０内に差し込まれ得る、少なくとも１つのチューブピンチタイプのソレノイド弁１６とを備える。図１、図２、図３、図４、図５、および図６では、チューブピンチタイプのソレノイド弁の２つのタイプ、すなわちノーマルオープンのチューブピンチタイプのソレノイド弁１６およびノーマルクローズのチューブピンチタイプのソレノイド弁１１６が、示されている。チューブピンチタイプのソレノイド弁のこれら２つのタイプの間の相違は、後で説明される。図１、図２、図３、図４、図５、および図６の説明では、ノーマルクローズのチューブピンチタイプのソレノイド弁１１６は、図６だけに認められ、ノーマルオープンのチューブピンチタイプのソレノイド弁１６は、図１、図２、図３、図４、図５、および図６において認められる。チューブピンチタイプのソレノイド弁１６は、装着パネル１２内に適正に挿入されたときに後部パネル１４内の電源ジャック２０内に差し込まれ得る。チューブピンチタイプのソレノイド弁を駆動させるためのドライバ回路２４は、遠隔場所内に装着される別個のドライバモジュールを用いるのではなく、後部パネル１４内に構築される。複数のチューブピンチタイプのソレノイド弁１６は、組立体１０内に収容され得る。装着パネル１２は、チューブピンチタイプのソレノイド弁１６を支持し、チューブピンチタイプのソレノイド弁１６の電気接続部を電源ジャック２０内へと案内する機能を有する。図１、図２、および図３に示されるように、装着パネル１２は、８個のチューブピンチタイプのソレノイド弁に十分な開口１８を有する。しかしながら、他の装着パネル（図示せず）は、より少ないまたはより多い数のチューブピンチタイプのソレノイド弁に合わせてより少ないまたはより多い数の開口１８を収容することができる。
【００１４】
装着パネル１２は、通常、たとえばアルミニウム、ステンレス鋼などの非腐食型の金属材料から作製される。装着パネル１２の材料は、複数のチューブピンチタイプのソレノイド弁１６を支持するための強度を有するために、十分な剛性を有さなければならない。したがって、装着パネル１２の厚さは、必要量の剛性を装着パネル１２に付与するのに十分でなければならない。装着パネル１２は、望まれるチューブピンチタイプのソレノイド弁１６の数を支持するのに十分なサイズのものでなければならない。
【００１５】
後部パネル１４は、通常、回路基板を準備するために使用されるタイプの材料から作製される。後部パネル１４を準備するのに適した材料の代表的な例は、ガラス、通常は繊維ガラス、およびエポキシ樹脂の組合せである。後部パネル１４は、望まれる電源ジャック２０の数を収容するのに十分なサイズのものでなければならない。
【００１６】
装着パネル１２は、少なくとも１本の連結ロッド２６、通常は複数の連結ロッド２６を用いることによって後部パネル１４に連結される。連結ロッド２６は、通常、ねじ切りされた端部を有する。ねじ切りされた端部は、連結ロッド２６の内部に存在することができ、代替的には、ねじ切りされた端部は、連結ロッド２６の外部に存在することができる。ねじ切りされた端部が連結ロッド２６の内部に存在する場合、ねじ切りされたボルト２８が、装着パネル１２または後部パネル１４を連結ロッド２６に固定するために使用され得る。代替的には、ねじ切りされた端部が連結ロッド２６の外部に存在するとき、ねじ切りされたナット（図示せず）が、装着パネル１２または後部パネル１４を連結ロッド２６に固定するために使用され得る。
【００１７】
装着パネル１２内の各々の開口１８は、後部パネル１４内の電源ジャック２０と位置合わせされる。電源ジャック２０は、チューブピンチタイプのソレノイド弁１６の後端に位置する電気コネクタを受け入れる。電気コネクタおよび電源ジャックの具体的な仕様は、重要でない。しかしながら、電気コネクタの代表的な例は、オレゴン州、テュアラティンのＣＵＩ，Ｉｎｃ．から市販され、参照により本明細書に組み込まれる、ｈｔｔｐ：／／ｗｗｗ．ｃｕｉ．ｃｏｍ／ｓｈｏｗｐｒｏｄｓ．ａｓｐｘ／ｃｉｄ＝１２３９＆ｌｅｖｅｌ＝３におけるＤＣ  Ｐｏｗｅｒ  Ｐｌｕｇｓ＆Ｉｎ−Ｌｉｎｅ  Ｒｅｃｅｐｔａｃｌｅｓ  ＣＵＩ  Ｉｎｃ．に記載された部品番号ＰＰ３−００２Ｂとして示されたプラグコネクタである。電源ジャックの代表的な例は、オレゴン州、テュアラティンのＣＵＩ、Ｉｎｃ．から市販され、参照により本明細書に組み込まれる、ｈｔｔｐ：／／ｗｗｗ．ｃｕｉ．ｃｏｍ／ｓｈｏｗｐｒｏｄｓ．ａｓｐｘ／ｃｉｄ＝１２５９＆ｌｅｖｅｌ＝３における、２．５ｍｍ  Ｃｅｎｔｅｒ  Ｐｉｎ  ＣＵＩ  Ｉｎｃ．に記載された部品番号ＰＪ−０４４Ｂである。プラグコネクタＰＰ３−００２Ｂは、たる形プラグコネクタであり、電源ジャックＰＪ−０４４Ｂは、中心ピン型の電源ジャックである。プラグコネクタおよび電源ジャックは、さらに、参照により本明細書に組み込まれる、ｈｔｔｐ：／／ｅｎ．ｗｉｋｉｐｅｄｉａ．ｏｒｇ／ｗｉｋｉ／ＤＣ＿ｃｏｎｎｅｃｔｏｒにおけるＤＣ  ｃｏｎｎｅｃｔｏｒ−Ｗｉｋｉｐｅｄｉａ，ｔｈｅ  ｆｒｅｅ  ｅｎｃｙｃｌｏｐｅｄｉａでさらに記載されている。図１、図２および図３で示されるように、各々の開口１８は、その周囲に第１のスロット１８ａおよびその周囲に第２のスロット１８ｂを有し、第１のスロット１８ａは、第２のスロット１８ｂの幅とは異なる幅のものであり、それによってキー止めの向きをもたらしてチューブピンチタイプのソレノイド弁１６の間違った設置を防止する。
【００１８】
次に図７、図８および図９を参照すると、ノーマルオープンのチューブピンチタイプのソレノイド弁１６は、ソレノイド筺体３０と、ヘッド３４およびスライドシャフト３６を備えるコア３２と、コイル（図示せず）と、連結ピン４０と、電気コネクタ４２と、後部キャップ４４と、可撓性の装着耳４８ａ、４８ｂを有するスナップ式装着体４６と、弁プランジャ５０とを備える。スナップ式装着体４６に関連するさらなる詳細は、後で説明される。連結ピン４０は、スライドシャフト３６を弁プランジャ５０に連結する。弁プランジャ５０は、基部５２およびピンチ装置５４を備える。基部５２は、ピンチ装置５４と一体化した縦長の要素である。基部５２は、ピンチ装置５４から外方にスナップ式装着体４６に向かって延びる矩形の平行６面体の形状の延長部５２ａを含む。ピンチ装置５４の上面５６は、連結ピン４０を受け入れるための開口部５８を有する。コア３２のスライドシャフト３６は、連結ピン４０を受け入れるための開口部６０を有する。ピンチ装置５４は、スライドシャフト３６を受け入れるためのピンチ装置５４内の開口部６２を有する。スライドシャフト３６は、開口部６２内に挿入され、開口部５８は、開口部６０と位置合わせされ、連結ピン４０は、コア３２のスライドシャフト３６とピンチ装置５４とを連結するために開口部５８および６０内に挿入される。後部キャップ４４は、ソレノイド筺体３０の近位の基部６６と、ソレノイド筺体３０から遠位の別の基部６８とを備える。基部６６は、脚部７０ａおよび７０ｂによって基部６８から離されている。基部６６は、ソレノイド筺体３０と連通し、基部６８は、電気コネクタ４２と連通する。基部６６は、その中に、スライドシャフト３６の端部を受け入れるための開口部７２を有する。基部６８は、その中に、電気コネクタ４２を受け入れるための開口部７４を有する。開口部７４は、電気コネクタ４２のねじ切りされた部分７６と対合するようにねじ切りされることが好ましい。部品である、ソレノイド筺体３０、コア３２、ヘッド３４、スライドシャフト３６、コアばね３８、連結ピン４０、電気コネクタ４２、スナップ式装着体４６、弁プランジャ５０、基部６６および基部６８は、円筒形であるものとして示されているが、円筒形状は、これらの部品に求められてはいない。
【００１９】
スナップ式装着体４６は、弁プランジャ５０の基部５２およびピンチ装置５４を受け入れるための開口部８２をその中に有する本体８０をさらに備える。スナップ式装着体４６の本体８０からは、基部８６と、基部８６からほぼ直角に延びる要素８８とを有する概ねＬ字形状の突出部８４が延びている。チュービングは、基部８６上の本体８０と要素８８との間に嵌められる。チュービングは、スナップ式装着体４６内に拘束され、アンビルとして機能する要素８８および弁プランジャ５０の基部５２の両方に接触するだけである。ピンチ装置５４は、ハンマとして機能する。要素８８内には、スロット９０が存在する。スロット９０は、縦長のものとして示されているが、スロット９０は、縦長形状のものであることは求められない。スロット９０は、弁プランジャ５０の基部５２の延長部５２ａを受け入れ、それによって弁プランジャ５０のピンチ装置５４が、チュービングを流れる流体の流れを停止させるのに十分な量でチュービングを圧縮するような方向に移動することができる。チュービングは、弁プランジャ５０の基部５２の上面に載置されている。
【００２０】
次に図１０、図１１、および図１２を参照すると、ノーマルクローズのチューブピンチタイプのソレノイド弁１１６は、ソレノイド筺体１３０と、ヘッド１３４およびスライドシャフト１３６を備えるコア１３２と、コアばね１３８と、コイル（図示せず）と、連結ピン１４０と、電気コネクタ１４２と、後部キャップ１４４と、可撓性の装着耳１４８ａ、１４８ｂを有するスナップ式装着体１４６と、弁プランジャ１５０とを備える。スナップ式装着体１４６に関連するさらなる詳細は、後で説明される。連結ピン１４０は、スライドシャフト１３６を弁プランジャ１５０に連結する。弁プランジャ１５０は、基部１５２およびピンチ装置１５４を備える。基部１５２は、ピンチ装置１５４と一体化した縦長の要素である。基部１５２は、ピンチ装置１５４から外方にスナップ式装着体１４６に向かって延びる矩形の平行６面体の形状の延長部１５２ａを含む。ピンチ装置１５４の上面１５６は、連結ピン１４０を受け入れるための開口部１５８を有する。コア１３２のスライドシャフト１３６は、連結ピン１４０を受け入れるための開口部１６０を有する。ピンチ装置１５４は、スライドシャフト１３６を受け入れるためのピンチ装置１５４内の開口部１６２を有する。スライドシャフト１３６は、開口部１６２内に挿入され、開口部１５８は、開口部１６０と位置合わせされ、ピンは、コア１３２のスライドシャフト１３６をピンチ装置１５４に連結するために開口部１５８および１６０内に挿入される。基部１６６とコアばね１３８との間に配置された調整ねじ１６４は、チューブピンチタイプのソレノイド弁１１６の組立者が、チュービングを完全に閉じる、すなわちピンチするのに十分な高いレベルに力を設定して、ノーマルクローズのチューブピンチタイプのソレノイド弁１１６だけを用いることによってチュービングを流れる流体の流れを調節することを可能にする。この力が不十分な場合、チュービングは完全には閉じず、望ましくない流体が、チュービン内で流されることになる。この力が過剰である場合、ソレノイドは、コイルばねの抵抗に打ち勝てない。後部キャップ１４４は、ソレノイド筺体１３０の近位の基部１６６と、ソレノイド筺体１３０から遠位の別の基部を１６８とを備える。基部１６６は、脚部１７０ａおよび１７０ｂによって基部１６８から分離されている。基部１６６は、ソレノイド筺体１３０と連通し、基部１６８は、電気コネクタ１４２と連通する。基部１６６は、その中に、調整ねじ１６４を受け入れるための開口部１７２を有する。基部１６８は、その中に、電気コネクタ１４２を受け入れるための開口部１７４を有する。開口部１７４は、電気コネクタ１４２のねじ切りされた部分１７６と対合するようにねじ切りされることが好ましい。部品である、ソレノイド筺体１３０、コア１３２、ヘッド１３４、スライドシャフト１３６、コアばね１３８、連結ピン１４０、電気コネクタ１４２、スナップ式装着体１４６、弁プランジャ１５０、基部１６６および基部１６８は、円筒形であるものとして示されているが、円筒形状は、これらの部品に求められてはいない。
【００２１】
スナップ式装着体１４６は、弁プランジャ１５０の基部１５２およびピンチ装置１５４を受け入れるための開口部１８２を中に有する本体１８０をさらに備える。スナップ式装着体１４６の本体１８０からは、基部１８６と、基部１８６からほぼ直角に延びる要素１８８とを有する概ねＬ字形状の突出部１８４が延びている。チュービングは、基部１８６上の本体１８０と要素１８８との間に嵌められる。チュービングは、スナップ式装着体１４６内に拘束され、アンビルとして機能する要素１８８および弁プランジャ１５０の基部１５２の両方に接触するだけである。ピンチ装置１５４は、ハンマとして機能する。要素１８８内には、スロット１９０が存在する。スロット１９０は、縦長のものとして示されているが、スロット１９０は、縦長形状のものであることは求められない。スロット１９０は、弁プランジャ１５０の基部１５２の延長部１５２ａを受け入れ、それによって弁プランジャ１５０のピンチ装置１５４が、チュービングを流れる流体の流れを停止させるのに十分な量でチュービングを圧縮するような方向に移動することができる。チュービングは、弁プランジャ１５０の基部１５２の上面に載置されている。
【００２２】
次に図１３、図１４、図１５、および図１６を参照すると、可撓性の装着耳４８ａ、４８ｂは、可撓性の装着耳４８ａ、４８ｂそれぞれの端部９４ａ、９４ｂそれぞれと、Ｕ字形の「Ｕ」の最も低い部分を形成するように曲がる可撓性の装着耳４８ａ、４８ｂの部分との中間にそれぞれ位置する係止突出部９２ａ、９２ｂを有する。係止突出部９２ａ、９２ｂの機能は、チューブピンチタイプのソレノイド弁１６が、使用中、開口１８から滑り出ることを防止することである。可撓性の装着耳４８ａ、４８ｂは、好ましくは、その端部９４ａ、９４ｂそれぞれに位置する把持ノブを有する。把持ノブの機能は、スナップ式装着体４６を組立体１０内に設置する、またはスナップ式装着体４６を組立体１０から取り外すとき、スナップ式装着体４６の可撓性装着耳４８ａ、４８ｂそれぞれの端部９４ａ、９４ｂの設置者による把持を容易にすることである。
【００２３】
可撓性の装着耳１４８ａ、１４８ｂは、図１３、図１４、図１５、および図１６に示された可撓性の装着耳４８ａ、４８ｂそれぞれにかなり類似している。したがって、可撓性の装着耳１４８ａ、１４８ｂは、図１３、図１４、図１５、および図１６に示される係止突出部９２ａ、９２ｂそれぞれにかなり類似する係止突出部を有する。可撓性の装着耳１４８ａ、１４８ｂの係止突出部は、可撓性の装着耳４８ａ、４８ｂそれぞれの端部９４ａ、９４ｂに対応する、可撓性の装着耳１４８ａ、１４８ｂそれぞれの端部と、Ｕ字形の「Ｕ」の最も低い部分を形成するように曲がる可撓性の装着耳１４８ａ、１４８ｂの部分との中間に位置する。可撓性の装着耳４８ａ、４８ｂと同様に、係止突出部９２ａ、９２ｂの機能は、チューブピンチタイプのソレノイド弁１１６が、使用中、開口１８から滑り出ることを防止することである。可撓性の装着耳４８ａ、４８ｂと同様に、可撓性の装着耳１４８ａ、１４８ｂは、好ましくは、その端部に位置し、可撓性の装着耳４８ａ、４８ｂそれぞれの端部９４ａ、９４ｂに位置する把持ノブにかなり類似する、把持ノブを有する。可撓性の装着耳４８ａ、４８ｂと同様に、可撓性の装着耳１４８ａ、１４８ｂの把持ノブの機能は、スナップ式装着体１４６を組立体１０内に設置する、またはスナップ式装着体１４６を組立体１０から取り外すとき、スナップ式装着体１４６の可撓性装着耳１４８ａ、１４８ｂの端部の設置者による把持を容易にすることである。
【００２４】
可撓性の装着耳４８ａは、可撓性の装着耳４８ｂのものとは異なる幅を有し、可撓性の装着耳１４８ａは、可撓性の装着耳１４８ｂのものとは異なる幅を有し、それにより、チューブピンチタイプのソレノイド弁１６、１１６は、開口１８の周囲にあるスロット１８ａおよび１８ｂの幅によって明示されたキー止めの向きにしたがって、装着パネル１２内に適正に設置され得る。
【００２５】
ノーマルオープンのチューブピンチタイプのソレノイド弁１６およびノーマルクローズのチューブピンチタイプのソレノイド弁１１６の以下の説明では、チューブピンチタイプのソレノイド弁の各タイプの類似の構成要素の名称は、適宜、両方のタイプのチューブピンチタイプのソレノイド弁用の参照符号によってたどられる。
【００２６】
コア３２、１３２は、磁気力によって移動可能である可動式の強磁性ロッドである。ノーマルオープンのチューブタイプのソレノイド弁では、コアばね１６４は、コイルが無励磁にされたとき、コア１３２を固定位置に保つ。ソレノイド筺体３０、１３０は、電気的および機械的保護と共に水または埃の進入のためのコイル（図示せず）周りの金属ハウジングである。スナップ式装着体４６、１４６は、チュービングを支持し、チュービングのピンチングを可能にする特徴を提供する構造である。チュービングのこの支持およびピンチング特徴は、本明細書では、先に言及したように、弁座またはアンビルと称される。弁プランジャ５０、１５０は、ソレノイドで発生させた力を伝達してチュービングの流れ経路を閉じ、チュービングを流れる流体の流れを制限するチューブピンチタイプのソレノイド弁の可動部分である。弁プランジャ５０、１５０は、コアに取り付けられ、先に言及したように、チュービングを弁座またはアンビルに対してピンチングするためのピンチ装置を含む。弁プランジャ５０、１５０は、ソレノイドを励磁させるまたは無励磁にすることによって移動される。直流電源が、ソレノイドを励磁させるためにソレノイド本体内のワイヤコイルに印加される。直流電源によって発生させた電流は、コイル周りに磁場を生成する。この磁場は次に、強磁性コアを引っ張り、ピンチング機構を作動させる磁気力を生成する。弁の設計は、励磁により、チュービングがピンチされる（ノーマルオープン弁の場合）またはピンチ解除される（ノーマルクローズ弁の場合）のようになり得る。
【００２７】
スナップ式装着体４６、１４６の以下の説明では、チューブピンチタイプのソレノイド弁の各タイプにおける類似の構成要素の名称は、適宜、両方のタイプのチューブピンチタイプのソレノイド弁に対する参照符号によってたどられる。しかしながら、スナップ式装着体４６はスナップ式装着体１４６にかなり類似しているため、スナップ式装着体４６の一部分だけが、図１３、図１４、図１５、および図１６に示される。スナップ式装着体１４６は、本質的には、スナップ式装着体４６が有するのと同じ構造を有することを理解されたい。
【００２８】
スナップ式装着体４６は、図７、図８、および図９に示されるようにほぼＵ字形の可撓性の装着耳４８ａおよび４８ｂ、ならびに図１０、図１１、および図１２に示されるように１４８ａおよび１４８ｂを有し、装着パネル１２へのスナップ式装着を可能にする。次に、スナップ式装着体４６だけが説明される図１３および図１４を参照すると、スナップ式装着体４６は、Ｕ字形の可撓性の装着耳４８ａ、４８ｂが成形プロセスを介して取り付けられた本体８０を備える。しかしながら、Ｕ字形の可撓性の装着耳４８ａ、４８ｂが、機械的技術によって本体８０に取り付けられ得ることが可能である。本体８０はまた、その中に、弁プランジャ５０の基部５２およびピンチ装置５４を受け入れるための開口部８２も有する。スナップ式装着体４６の本体８０からは、基部８６と、基部８６からほぼ直角に延びる要素８８とを有する概ねＬ字形状の突出部８４が延びている。チュービングは、基部８６上の本体８０と要素８８との間に嵌められる。チュービングは、スナップ式装着体４６内に拘束され、先に言及したように、アンビルとして機能する要素８８および弁プランジャ５０の基部５２の両方に接触するだけである。ピンチ装置５４は、先に言及したようにハンマとして機能する。要素内８８には、スロット９０が存在する。スロット９０は、弁プランジャ５０の基部５２の延長部５２ａを受け入れ、それによって弁プランジャ５０のピンチ装置５４が、チュービングを流れる流体の流れを停止させるのに十分な量でチュービングを圧縮することができる。チュービングは、弁プランジャ５０の基部５２の上面に載置されている。可撓性の装着耳４８ａ、４８ｂは、その端部９４ａ、９４ｂそれぞれと、Ｕ字形の「Ｕ」の最も低い部分を形成するように曲がる可撓性の装着耳４８ａ、４８ｂの部分との中間にそれぞれ位置する係止突出部９２ａ、９２ｂを有する。係止突出部９２ａ、９２ｂの機能は、チューブピンチタイプのソレノイド弁１６、１１６が、使用中、開口１８から滑り出ることを防止することである。可撓性の装着耳４８ａ、４８ｂは、好ましくは、その端部９４ａ、９４ｂそれぞれに位置する把持ノブを有する。把持ノブの機能は、スナップ式装着体４６を組立体１０内に設置する、またはスナップ式装着体４６を組立体１０から取り外すとき、スナップ式装着体４６の可撓性装着耳４８ａ、４８ｂそれぞれの端部９４ａ、９４ｂのユーザによる把持を容易にすることである。ここでも、参照符号８０、８２、８４、８６、８８、および９０を有する部分が、参照符号１８０、１８２、１８４、１８６、１８８、および１９０を有する部分にかなり類似することに留意されたい。
【００２９】
スナップ式装着体４６、１４６は、射出成形技術を用いて作製され得る。射出成形は、参照により本明細書に組み込まれる、Ｊｏｈｎ  Ｗｉｌｅｙ＆Ｓｏｎｓ，Ｉｎｃ．，１９８７年，Ｅｎｃｙｃｌｏｐｅｄｉａ  ｏｆ  Ｐｏｌｙｍｅｒ  Ｓｃｉｅｎｃｅ  ａｎｄ  Ｔｅｃｈｎｏｌｏｇｙ，Ｖｏｌ．８の１０２〜１３８頁に詳細に記載されている。スナップ式装着体４６、１４６を準備するのに適した材料は、以下のものだけに限定されないが、すべての熱可塑性物質、一部の熱硬化性物質、および一部のエラストマーを含む。射出成形によって部品を形成するのに適したポリマーの代表的な例は、エポキシ樹脂、フェノール樹脂、ナイロン、ポリエチレン、およびポリスチレンを含む。可撓性の装着耳４８ａ、４８ｂの特有の材料および特有の寸法は、重要ではないが、可撓性の装着耳４８ａ、４８ｂの材料および寸法は、可撓性の装着耳４８ａ、４８ｂが、チューブピンチタイプのソレノイド弁１６、１１６の設置および取外しを容易にし、使用中、チューブピンチタイプのソレノイド弁１６、１１６を保持するという意図された機能を実施するのに十分な剛性、弾性、および可撓性を有するように選択される。たとえば成形技術者などの当業者は、本明細書で説明されたスナップ式装着体４６で使用するのに適した可撓性の装着耳４８ａ、４８ｂを作製するのに適正な材料および寸法を選択する能力を有していると予想される。
【００３０】
チューブピンチタイプのソレノイド弁１６、１１６の後部は、電力および接地接続のために電源ジャック２０に取り付けるための電気コネクタ４２、１４２を有する。電気コネクタ４２、１４２は、後部キャップ４４、１４４内に挿入される。後部キャップ４４、１４４は、通常、電気コネクタ４２、１４２と同じようにねじ切りされ、それによって電気コネクタ４２、１４２は、後部キャップ４４、１４４に取り付けられ得る。後部キャップ４４、１４４は、ソレノイドから通じているワイヤが、電気コネクタ４４、１４４に好都合に連結されることを可能にするように設計される。後部パネル１４は、電気コネクタのチューブピンチタイプのソレノイド弁１６、１１６の電気コネクタ４２、１４２を受け入れるための電源ジャック２０を含む。本明細書で使用するのに適した一般的なプラグタイプの電気コネクタは、電源ジャック２０のピン上に嵌まる、たる形を有する。電源ジャック２０は、一体型ドライバ回路（図示せず）と連結され、それによって電力が、チューブピンチタイプのソレノイド弁１６、１１６の作動のために供給される。電気コネクタ４４、１４４は、チューブピンチタイプのソレノイド弁１６を、装着パネル１２内の開口１８によって規定されたように、任意の角度の向きで装着パネル１２内に装着することを可能にする。電気コネクタ４４、１４４内の接点は、必要な場合、設置されたチューブピンチタイプのソレノイド弁１６、１１６の存在を感知することを可能にする。
【００３１】
次に図１７を参照すると、チューブピンチタイプのソレノイド弁を装着するための４つの組立体２０２、２０４、２０６、２０８を使用するシステムのための連結が、示されている。電源供給ユニット２００が、電力バス２１０によって組立体２０２、２０４、２０６、２０８に連結される。コンピュータ２１２は、コンピュータバス２１４によって組立体２０２、２０４、２０６、２０８に連結される。図１７に見られ得るように、コンピュータ２１２からチューブピンチタイプのソレノイド弁を装着するための組立体２０２、２０４、２０６、２０８までのワイヤは、互いに交差する必要はなく、電源供給ユニット２００からチューブピンチタイプのソレノイド弁を装着するための組立体２０２、２０４、２０６、２０８までのワイヤは、互いに公差する必要はない。電力バスおよびコンピュータバスは、当業者によく知られている。
【００３２】
本明細書に説明されたチューブピンチタイプのソレノイド弁を装着するための組立体によってもたらされる利点は、数多く存在する。組立体は、チューブピンチタイプのソレノイド弁の挿入および取外しを簡易化する。組立体は、計器を製造すること、および計器を現場で稼働させることの両方に対して時間の大幅な節約をもたらす。チューブピンチタイプのソレノイド弁は、工具を必要とすることなく、１回の動作で装着パネル内に設置されまたはそこから取り外され得る。たとえば装着ねじまたはナットの取り付けられていないハードウエアは、何も必要とされない。機械的および電気的接続は、単一のステップのみを含む手順において実施され得る。回路基板は、ソレノイドドライバ回路を含み、その結果、別個のケーブル、コネクタ、または回路基板は存在しなくなる。回路基板の３つの機能、すなわちソレノイド弁への電力および電圧の制御、ソレノイド弁への電力接続、および回路基板からソレノイド弁までのケーブルのルーティングは、単一の構成要素（回路基板）によって取り扱われる。弁組立体をキー止めの向きにする、たとえば弁が、任意の回転角度で装着されるようにキー止めされることが可能になることにより、弁の不適切な設置が防止される。組立体は、回路基板とソレノイド弁との間の電気ケーブルをルーティングすることを排除する。円形の中心揃えされた電気コネクタは、合わさるコネクタを回路基板上で変更または移動させずに、ソレノイド弁をパネル上で任意の角度で方向付けることを可能にする。
【００３３】
動作
次に図１、図７、図８、図１０、および図１１を参照すると、装着パネル１２と、後部パネル１４と、装着パネル１２を後部パネル１４に連結する十分な数の連結ロッド２６とを備える組立体１０が、提供される。少なくとも１つのチューブピンチタイプのソレノイド弁１６、１１６が、設けられる。ユーザは、チューブピンチタイプのソレノイド弁１６、１１６の電気コネクタ４２、１４２を、開口１８を通して挿入し、チューブピンチタイプのソレノイド弁１６、１１６を、電気コネクタ４２、１４２が電源ジャック２０と対合するまで開口１８を通して案内する。開口１８は、キー止めスロット１８ａ、および１８ｂを有するため、チューブピンチタイプのソレノイド弁を間違って挿入することが極めて難しくなることに留意されたい。間違った挿入を強く試みようとすると、ピンチタイプのソレノイド弁を損傷させる可能性が極めて高くなる。スナップ式装着体４６、１４６の可撓性の装着耳４８ａ、４８ｂ、１４８ａ、１４８ｂは、開口１８の境界から最も遠くのスロット１８ａ、１８ｂの端部において装着パネル１２の材料によって内向きに押さえられる。各々の可撓性の装着耳４８ａ、４８ｂ、１４８ａ、１４８ｂは、その上の突出部９２ａ、９２ｂによって適正な位置に係止される。チューブピンチタイプのソレノイド弁１６、１１６は、このとき、流体、通常は液体のためのチュービングをいつでも受け入れる状態にある。
【００３４】
チューブピンチタイプのソレノイド弁１６、１１６が、修理または取換えのために取り外されるべきとき、可撓性の装着耳４８ａ、４８ｂ、１４８ａ、１４８ｂの端部９４ａ、９４ｂは、突出部９２ａ、９２ｂが、前部の主要表面１２ａ（図１を参照）および装着パネル１２の後部の主要表面１２ｂ（図２を参照）をかわすことができるような程度まで内向きに押しつぶされ、チューブピンチタイプのソレノイド弁１６、１１６は、組立体１０から引き抜かれ、電気コネクタ４２、１４２は、電源ジャック２０から取り外され、チューブピンチタイプのソレノイド弁１６、１１６の全長が、開口１８を通して引き出される。
【００３５】
本発明のさまざまな改変形態および変更形態が、本発明の範囲および趣旨から逸脱することなく当業者に明確になり、また、本発明は、本明細書で記載された例示的な実施形態に過度に限定されるべきものではないことを理解されたい。
【図１】
2013527383.tif 000003
【図２】
2013527383.tif 000004
【図３】
2013527383.tif 000005
【図４】
2013527383.tif 000006
【図５】
2013527383.tif 000007
【図６】
2013527383.tif 000008
【図７】
2013527383.tif 000009
【図８】
2013527383.tif 000010
【図９】
2013527383.tif 000011
【図１０】
2013527383.tif 000012
【図１１】
2013527383.tif 000013
【図１２】
2013527383.tif 000014
【図１３】
2013527383.tif 000015
【図１４】
2013527383.tif 000016
【図１５】
2013527383.tif 000017
【図１６】
2013527383.tif 000018
【図１７】
2013527383.tif 000019
【国際調査報告】
2013527383.tif 000020
2013527383.tif 000021
2013527383.tif 000022
2013527383.tif 000023